【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
複数本の箒毛を束ねると共に揺動自在のコイルスプリングから形成された筒状体に収納した箒毛束を任意の間隔で箒基体に複数固定して強度補強を施し、柄の握持部の上方に使用者の前腕を挿通可能な１つ乃至複数の環状体及び／又は筒状体を有して成る前腕支持部が設けられており、
前記コイルスプリングの巻き形状が、該コイルスプリングである筒状体の少なくとも頭部又は少なくとも根元部では三角形又は四角形であること、
を特徴とする強度補強箒。
【請求項２】
前記前腕支持部が着脱可能な構成であることを特徴とする請求項１に記載の強度補強箒。
【請求項３】
前記前腕支持部が、柄に対する取付向き・取付位置が変更可能な構成であることを特徴とする請求項１又は２に記載の強度補強箒。
【請求項４】
前記コイルスプリングの少なくとも頭部では前記箒毛束が非密集状態で収納されており、
前記コイルスプリングの巻き形状が、少なくとも頭部では三角形又は四角形であること、
を特徴とする請求項１〜３のいずれかに記載の強度補強箒。
【請求項５】
前記コイルスプリングの直径が、該コイルスプリングの根元部より先端部方向に向かって次第に拡開している構成であることを特徴とする請求項４に記載の強度補強箒。
【請求項６】
前記コイルスプリングの直径が、該コイルスプリングの根元部より頭部を除く位置まで次第に拡開している構成であることを特徴とする請求項４に記載の強度補強箒。
【請求項７】
前記コイルスプリングの頭部に、隣接するコイル部が密着している密着コイル部を有し、
前記コイルスプリングの他の部分は、隣接するコイル部が離開している粗コイル部であること、
を特徴とする請求項４〜６のいずれかに記載の強度補強箒。
【請求項８】
（１）前記コイルスプリングの密着コイル部が、又は（２）前記コイルスプリングの密着コイル部と該密着コイル部に連続する粗コイル部の一部が、ゴム、エラストマー、熱可塑性樹脂又は熱硬化性樹脂である樹脂であって軟質性のもの（以下「軟質性樹脂」という。）で形成された被覆部によって覆われた構成であることを特徴とする請求項７に記載の強度補強箒。
【請求項９】
前記密着コイル部が、２〜７巻きのコイルから構成されていることを特徴とする請求項７又は８に記載の強度補強箒。
【請求項１０】
前記粗コイル部が、少なくとも１巻きのコイルから構成されていることを特徴とする請求項７〜９のいずれかに記載の強度補強箒。
【請求項１１】
前記箒毛束が、径の異なる少なくとも２種類の箒毛を束ねて構成されていることを特徴とする請求項４〜１０のいずれかに記載の強度補強箒。
【請求項１２】
任意の間隔で複数植え付けられる各箒毛束を収納する各コイルスプリングの隣接する頭部同士が、該頭部の三角形又は四角形の各面同士で接触するように、前記各箒毛束が植え付けられていることを特徴とする請求項４〜１１のいずれかに記載の強度補強箒。
【請求項１３】
前記コイルスプリングの巻き形状が、少なくとも根元部では四角形又は三角形であり、
隣接する箒毛束の根元部同士が、該根元部の四角形又は三角形の隣接して向かい合う面同士で当接するように前記各箒毛束が箒基体に固定されていること、
を特徴とする請求項１〜３のいずれかに記載の強度補強箒。
【請求項１４】
前記箒毛束の先端部分が、前記コイルスプリングの先端から突出した状態で収納された構成であることを特徴とする請求項１３に記載の強度補強箒。
【請求項１５】
前記コイルスプリングの頭部に、隣接するコイル部が密着している密着コイル部を有し、
前記コイルスプリングの他の部分の少なくとも一部は、隣接するコイル部が離開している粗コイル部であること、
を特徴とする請求項１３又は１４に記載の強度補強箒。
【請求項１６】
（１）前記コイルスプリングの頭部の密着コイル部が、又は（２）前記コイルスプリングの頭部の密着コイル部と該密着コイル部に連続する粗コイル部の一部が、軟質性樹脂で形成された被覆部によって覆われた構成であることを特徴とする請求項１５に記載の強度補強箒。
【請求項１７】
前記コイルスプリングの頭部の巻き形状が、四角形又は三角形であることを特徴とする請求項１３〜１６のいずれかに記載の強度補強箒。
【請求項１８】
前記複数の箒毛束が横方向に並列され、該複数の箒毛束の根元部が並列方向に直交する両側から挟着された状態で固定された構成であることを特徴とする請求項１３〜１７のいずれかに記載の強度補強箒。
【請求項１９】
前記複数の箒毛束が、コイルスプリングの中間部乃至は頭部の何れかの少なくとも一箇所で並列方向に横断する掛止部材により束ねられた構成であることを特徴とする請求項１８に記載の強度補強箒。
【請求項２０】
前記複数の箒毛束の根元部が閉塞する略円形を形成するように円形方向に並列され、該円形の状態が固定されると共に、該円形の略中央に形成された空隙部に箒の柄が取り付けられた構成であることを特徴とする請求項１３〜１７のいずれかに記載の強度補強箒。
【請求項２１】
前記コイルスプリングの根元部の巻き形状が等脚台形であることを特徴とする請求項２０に記載の強度補強箒。
【請求項２２】
前記コイルスプリングの中間部に、隣接するコイル部が密着している密着コイル部を有する構成であることを特徴とする請求項２０又は２１に記載の強度補強箒。
【請求項２３】
請求項１〜２２のいずれかに記載の強度補強箒を用い、該強度補強箒の複数本の箒毛を束ねた箒毛束が、これを囲むコイルスプリングによって揺動しながら、ゴミを掃き寄せることを特徴とする清掃方法。
【手続補正２】
【補正対象書類名】明細書
【補正対象項目名】００１６
【補正方法】変更
【補正の内容】
【００１６】
１．複数本の箒毛を束ねると共に揺動自在のコイルスプリングから形成された筒状体に収納した箒毛束を任意の間隔で箒基体に複数固定して強度補強を施し、柄の握持部の上方に使用者の前腕を挿通可能な１つ乃至複数の環状体及び／又は筒状体を有して成る前腕支持部が設けられており、
前記コイルスプリングの巻き形状が、該コイルスプリングである筒状体の少なくとも頭部又は少なくとも根元部では三角形又は四角形であること、
を特徴とする強度補強箒。
【手続補正３】
【補正対象書類名】明細書
【補正対象項目名】００１９
【補正方法】変更
【補正の内容】
【００１９】
４．前記コイルスプリングの少なくとも頭部では前記箒毛束が非密集状態で収納されており、
前記コイルスプリングの巻き形状が、少なくとも頭部では三角形又は四角形であること、
を特徴とする上記１〜３のいずれかに記載の強度補強箒。
【手続補正４】
【補正対象書類名】明細書
【補正対象項目名】００２７
【補正方法】変更
【補正の内容】
【００２７】
１２．任意の間隔で複数植え付けられる各箒毛束を収納する各コイルスプリングの隣接する頭部同士が、該頭部の三角形又は四角形の各面同士で接触するように、前記各箒毛束が植え付けられていることを特徴とする上記４〜１１のいずれかに記載の強度補強箒。
【手続補正５】
【補正対象書類名】明細書
【補正対象項目名】００２８
【補正方法】変更
【補正の内容】
【００２８】
１３．前記コイルスプリングの巻き形状が、少なくとも根元部では四角形又は三角形であり、
隣接する箒毛束の根元部同士が、該根元部の四角形又は三角形の隣接して向かい合う面同士で当接するように前記各箒毛束が箒基体に固定されていること、
を特徴とする上記１〜３のいずれかに記載の強度補強箒。
【手続補正６】
【補正対象書類名】明細書
【補正対象項目名】００３２
【補正方法】変更
【補正の内容】
【００３２】
１７．前記コイルスプリングの頭部の巻き形状が、四角形又は三角形であることを特徴とする上記１３〜１６のいずれかに記載の強度補強箒。
【手続補正７】
【補正対象書類名】明細書
【補正対象項目名】００４３
【補正方法】変更
【補正の内容】
【００４３】
請求項４に示す発明によれば、コイルスプリングの巻き形状が三角形又は四角形であることにより、コイルスプリング内の箒毛束は清掃時に掃き寄せ方向両側に逃げるように分離して中央部分に空隙が生じてしまうことがなく、掃き寄せ方向前方に空隙が生じる程度である。これは、コイルスプリングが円筒形の場合ではコイルスプリングの内側が形成する丸い内壁に沿って箒毛束が外寄りに逃げてしまうことで掃き寄せ方向の両側に分離してしまうのに対し、コイルスプリングの巻き形状を三角形又は四角形とすることで、三角形又は四角形の各角部分が、コイルスプリング内で移動する各箒毛が掃き寄せ方向両側に逃げてしまうのを防止するストッパーとして作用するためである。
従って、コイルスプリングに収納された箒毛束の密集度に高低が生じることが無く、均一な密集度による掃き寄せが可能となる。
【手続補正８】
【補正対象書類名】明細書
【補正対象項目名】００５５
【補正方法】変更
【補正の内容】
【００５５】
請求項１７に示す発明によれば、コイルスプリングの頭部の巻き形状が四角形又は三角形であることにより、コイルスプリング内の箒毛束は清掃時に掃き寄せ方向両側に逃げるように分離して中央部分に空隙が生じてしまうことがなく、掃き寄せ方向前方に空隙が生じる程度である。これは、コイルスプリングが円筒形の場合ではコイルスプリングの内側が形成する丸い内壁に沿って箒毛束が外寄りに逃げてしまうことで掃き寄せ方向の両側に分離してしまうのに対し、コイルスプリングの巻き形状を四角形又は三角形とすることで、四角形又は三角形の各角部分が、コイルスプリング内で移動する各箒毛が掃き寄せ方向両側に逃げてしまうのを防止するストッパーとして作用するためである。
従って、コイルスプリングに収納された箒毛束の密集度に高低が生じることが無く、均一な密集度による掃き寄せが可能となる。
【手続補正９】
【補正対象書類名】明細書
【補正対象項目名】００７８
【補正方法】変更
【補正の内容】
【００７８】
コイルスプリング４は、巻き形状が、少なくとも頭部４Ｃでは三角形又は四角形である。三角形又は四角形としては、好ましくは図４、図７及び図８に示すような略正三角形が好ましいが、図９に示す略正方形でもよい。また、二等辺三角形、直角三角形（例えば、図８の左右両端のコイルスプリング４の頭部４Ｃの形状）等の他の三角形でもよいし、長方形、平行四辺形、台形等の他の四角形でもよい。三角形又は四角形のコイルスプリング４は、異形コイル等の形成機である公知公用のフォーミングマシンを用いることで形成することができる。尚、頭部４Ｃを除く部分については、該頭部４Ｃと同様の巻き形状、即ち、三角形又は四角形であってもよいし、他の形状、即ち、円形や楕円形、頭部４Ｃとは異なる形状の三角形その他の多角形であってもよい。
【手続補正１０】
【補正対象書類名】明細書
【補正対象項目名】００９５
【補正方法】変更
【補正の内容】
【００９５】
また、前述したようにコイルスプリング４の巻き形状は、少なくとも頭部４Ｃでは三角形又は四角形であり、三角形又は四角形としては、上記した実施例の略正三角形や略正方形である四角形に限らず、二等辺三角形、直角三角形等の他の三角形や、長方形、平行四辺形、台形等の他の四角形でもよい。
【手続補正１１】
【補正対象書類名】明細書
【補正対象項目名】０１１１
【補正方法】変更
【補正の内容】
【０１１１】
コイルスプリング１４は、巻き形状が、少なくとも根元部１４Ａでは四角形又は三角形である。四角形又は三角形としては、好ましくは図１２に示すような略正四角形が好ましいが、二等辺三角形や直角三角形等の三角形でもよいし、長方形、平行四辺形、台形等の他の四角形でもよい。四角形又は三角形のコイルスプリング１４は、異形コイル等の形成機である公知公用のフォーミングマシンを用いることで形成することができる。尚、根元部１４Ａを除く部分については、該根元部１４Ａと同様の巻き形状、即ち、四角形又は三角形であってもよいし、他の形状、即ち、円形や楕円形、根元部１４Ａとは異なる形状の四角形その他の多角形であってもよい。
【手続補正１２】
【補正対象書類名】明細書
【補正対象項目名】０１２０
【補正方法】変更
【補正の内容】
【０１２０】
以上の構成を有するコイルスプリング１４に収納された箒毛束１３は、図１２に示すように、複数の箒毛束１３・１３・１３・・・を横方向に並列した形状の箒（座敷箒の形状）となるように箒基体１５に固定する際、隣接する箒毛束１３・１３のコイルスプリング１４の根元部１４Ａ・１４Ａ同士が、該根元部１４Ａの四角形又は三角形の隣接して向かい合う面同士で当接するように並列させた状態で固定する。即ち、各コイルスプリング１４がその根元部１４Ａ部分で隣接する根元部１４Ａ同士が接触するように密に整列状態で並べた際に、隣接するコイルスプリング１４の根元部１４Ａ同士との間に隙間が生じることがなく接触させることができるので、複数の箒毛束１３が横方向に密な状態の強度補強箒１１とすることができる。従って、均一な密集度による掃き寄せが可能となる。
【手続補正１３】
【補正対象書類名】明細書
【補正対象項目名】０１３０
【補正方法】変更
【補正の内容】
【０１３０】
尚、本第３実施例では、根元部１４Ａの巻き形状が当脚台形である８束の箒毛束１３を円形方向に並列した構成としているが、複数の箒毛束１３を円形方向に並列させた際に閉塞する略円形を形成する巻き形状であれば本発明は当該構成に限定されず、二等辺三角形の巻き形状であってもよいし、並列する箒毛束１３の数も８束以外の複数であってもよい。